(57)【要約】  本発明は、複数のシリコン貫通電極が具備され、バンプ電極が形成された基板上に、非導電性フィルムを用いて真空ラミネーション（ｖａｃｕｕｍ  ｌａｍｉｎａｔｉｏｎ）後、紫外線照射を実施して、光硬化前後の溶融粘度の上昇を３０％以下に調節することができ、これにより、熱圧着ボンディング時、ボイドなしにボンディング可能であり、ソルダの中間に樹脂が挟まる現象を防止することができ、フィレットが最小化されて信頼性を向上させることができる半導体パッケージの製造方法に関する。
2021525458.tif 000002
【特許請求の範囲】
【請求項１】
複数のシリコン貫通電極が具備された基板に非導電性フィルムをラミネーションする段階；および
前記非導電性フィルムがラミネーションされた基板に紫外線を照射する段階；を含み、
前記非導電性フィルムは、前記紫外線照射前後で溶融粘度の変化率が１〜３０％である、
半導体パッケージの製造方法。
【請求項２】
前記非導電性フィルムは、前記紫外線照射前後で溶融粘度の変化率が１５〜２７％である、請求項１に記載の半導体パッケージの製造方法。
【請求項３】
前記非導電性フィルムがラミネーションされた基板に紫外線を照射する段階は、０．１〜１０００ｍＪ／ｃｍ２の光量で行う、請求項１に記載の半導体パッケージの製造方法。
【請求項４】
前記非導電性フィルムは、離型処理された基材フィルム、粘着層および接着層を含む、請求項１に記載の半導体パッケージの製造方法。
【請求項５】
前記非導電性フィルムにおいて、接着層は、
（ａ）光硬化可能な不飽和官能基を有する光硬化性樹脂、（ｂ）熱硬化性樹脂および硬化剤、（ｃ）光開始剤、（ｄ）無機充填材および（ｅ）触媒を含む樹脂組成物を含む、請求項４に記載の半導体パッケージの製造方法。
【請求項６】
前記光硬化性樹脂は、熱硬化性樹脂および硬化剤の総和１００重量部を基準として３〜４５重量部含まれる、請求項４に記載の半導体パッケージの製造方法。
【請求項７】
前記非導電性フィルムは、紫外線を照射する前に８００〜１５０００Ｐａ・ｓの溶融粘度を有し、紫外線を照射した後に１０００〜１８０００Ｐａ・ｓの溶融粘度を有する、請求項１に記載の半導体パッケージの製造方法。
【請求項８】
前記非導電性フィルムをラミネーションする段階は、４０〜１３０℃で真空条件下にて行う、請求項１に記載の半導体パッケージの製造方法。
【請求項９】
前記複数のシリコン貫通電極が具備された基板は、
半導体基板の内部を貫通する複数のシリコン貫通ビアおよび前記シリコン貫通ビアを満たす複数のバンプが形成されている、請求項１に記載の半導体パッケージの製造方法。
【請求項１０】
前記紫外線を照射する段階の後には、
前記紫外線が照射された非導電性フィルムがラミネーションされた基板と、
前記非導電性フィルムがラミネーションされた基板に対向して位置する複数の電極パッドが形成された半導体基板とを熱圧着ボンディングする段階をさらに含む、請求項１に記載の半導体パッケージの製造方法。
【請求項１１】
前記熱圧着ボンディングする段階は、２００〜３００℃の温度で１０Ｎ〜３００Ｎの圧力条件下にて２〜１０秒間行う、請求項１０に記載の半導体パッケージの製造方法。
【請求項１２】
前記熱圧着ボンディングする段階の前に、非導電性フィルムの粘着層を除去する段階をさらに含む、請求項１０に記載の半導体パッケージの製造方法。
【発明の詳細な説明】
【技術分野】
【０００１】
関連出願との相互参照
本出願は、２０１９年１月２９日付の韓国特許出願第１０−２０１９−００１１３１７号および２０２０年１月２２日付の韓国特許出願第１０−２０２０−０００８８８８号に基づく優先権の利益を主張し、当該韓国特許出願の文献に開示されたすべての内容は本明細書の一部として含まれる。
本発明は、信頼性が向上した半導体パッケージの製造方法に関する。
【背景技術】
【０００２】
最近、電子機器の薄型化、小型化、高機能化、大容量化の傾向が拡大し、これに伴う半導体パッケージの高密度化、高集積化への必要性が急激に高まるにつれ、半導体チップのサイズがますます大きくなり、集積度の面でも改善のためにチップを多段にラミネーションするスタックパッケージ方法が次第に増加している。
【０００３】
つまり、最近の傾向により、半導体チップなどの半導体素子が基板上にフリップチップボンディングによって実装されたフリップチップ型の半導体装置が幅広く用いられている。また、フリップチップ実装では、半導体素子に形成されたハンダバンプなどを溶融させて電気的に接続し、集積度を高めるためにチップを多段に積層するスタックパッケージが増加している。
【０００４】
また、最近は、シリコン貫通電極（ＴＳＶ）を用いた半導体が開発され、バンプ（Ｂｕｍｐ）接合による信号伝達が行われている。このようなバンプ接合のために、主に熱圧着ボンディング技術（Ｔｈｅｒｍｏ  Ｃｏｍｐｒｅｓｓｉｏｎ  Ｂｏｎｄｉｎｇ、ＴＣＢ）が適用されており、この時、熱圧着ボンディング技術で接着剤が有する熱に対する硬化特性がパッケージ製造工程性およびパッケージ信頼度に影響を及ぼす。例えば、３次元ＩＣ集積技術では、主にＴＳＶ（Ｔｈｒｏｕｇｈ  Ｓｉｌｉｃｏｎ  Ｖｉａ）を活用してフリップチップボンディング工程でチップとチップとを積層し、微細ピッチ（ｐｉｔｃｈ）を有している。
【０００５】
さらに、各ＴＳＶ層の間を充填する接着剤としてペースト（Ｐａｓｔｅ）状の非導電性ペースト（Ｎｏｎ  Ｃｏｎｄｕｃｔｉｖｅ  Ｐａｓｔｅ、ＮＣＰ）が開発されたが、バンプ（Ｂｕｍｐ）のピッチ（Ｐｉｔｃｈ）が狭くなり、チップの厚さが薄くなることによって、厚さ調節などが難しくなる問題点があった。これを克服するために、半導体チップの間には、接続の信頼性を高めるべく、フィルム状に実現された非導電性フィルム（Ｎｏｎ−ｃｏｎｄｕｃｔｉｖｅ  Ｆｉｌｍ、ＮＣＦ）が開発されている。
【０００６】
前記熱圧着ボンディングは、２００〜３００℃で圧力を与えながら２〜１０秒程度の短時間内に行われる。しかし、このような急激な温度や圧力変化によって、硬化する接着剤内にはボイドが生じるなど、ソルダ（Ｓｏｌｄｅｒ）の中間に樹脂の挟まりが発生して信頼性の確保が難しい問題があった。また、前記熱圧着中にＮＣＦ樹脂が横へ突き出るフィレットが過度でパッケージが汚染する問題があった。
【発明の概要】
【発明が解決しようとする課題】
【０００７】
本発明は、半導体素子のフリップチップボンディング工程の熱圧着ボンディング（ＴＣＢ）時、ボイドなしにボンディング可能であり、ソルダの中間にレジンの挟まりが発生せず、フィレットが最小化されて信頼性が向上した半導体パッケージの製造方法を提供する。
【課題を解決するための手段】
【０００８】
本明細書では、
複数のシリコン貫通電極が具備された基板に非導電性フィルムをラミネーションする段階；および
前記非導電性フィルムがラミネーションされた基板に紫外線を照射する段階；を含み、
前記非導電性フィルムは、前記紫外線照射前後で溶融粘度の変化率が１〜３０％である、
半導体パッケージの製造方法を提供する。
【発明の効果】
【０００９】
本発明によれば、半導体パッケージの密封材料として非導電性フィルム（ＮＣＦ）用接着剤樹脂組成物を用いた非導電性フィルムを用いることによって、熱圧着ボンディング時、ボイドなしにフリップチップのボンディングが可能であり、ソルダの中間で樹脂の挟まりが発生せず、電気接続信頼性が向上しながらもフィレット（Ｆｉｌｌｅｔ）の大きさが最小化された半導体パッケージを製造することができる。また、本発明は、シリコン貫通電極（ＴＳＶ、Ｔｈｒｏｕｇｈ  ｓｉｌｉｃｏｎ  ｖｉａ）を用いて、信号伝達速度、低電力および高性能を達成できる半導体素子の提供に寄与することができる。
【図面の簡単な説明】
【００１０】
【図１】本発明の半導体パッケージ方法の一実施形態を示す図である。
【図２】本発明の一実施形態による非導電性フィルムの構造を簡略に示す図である。
【発明を実施するための形態】
【００１１】
以下、発明の具体的な実施形態の半導体パッケージの製造方法に関してより詳しく説明する。しかし、下記の実施例は発明を例示するものに過ぎず、発明をこれらのみに限定するものではない。
【００１２】
発明の一実施形態によれば、複数のシリコン貫通電極が具備された基板に非導電性フィルムをラミネーションする段階；および前記非導電性フィルムがラミネーションされた基板に紫外線を照射する段階；を含み、前記非導電性フィルムは、前記紫外線照射前後で溶融粘度の変化率が１〜３０％である、半導体パッケージの製造方法が提供される。
【００１３】
本発明は、半導体素子を製造するためのフリップチップのボンディング工程において、バンプが形成されたＴＳＶ型半導体基板を接合する時、フィルム状密封材料を用いる半導体パッケージの製造方法に関する。特に、本発明は、半導体密封材料としてペースト状ではない非導電性フィルムを用いて真空ラミネーションを行うことによって、バンプの割れを防止することができる。
【００１４】
具体的には、前記フリップチップボンディング工程で１種以上の半導体チップを積層する時、基材とチップあるいはチップとチップとの間の接着時、積層されるチップの層間に密封充填材料が使用できる。この時、発明の一実施形態によれば、前記積層チップの層間密封材料としてフィルム状の非導電性フィルム（ＮＣＦ、ｎｏｎ−ｃｏｎｄｕｃｔｉｖｅ  ｆｉｌｍ）を用い、また、これを用いる時、真空ラミネーション（ｖａｃｕｕｍ  ｌａｍｉｎａｔｉｏｎ）方法を使用する半導体パッケージの製造方法が提供される。
【００１５】
また、前記フィルム状密封材料は、紫外線が照射された後における溶融粘度の変化率が１〜３０％、または５〜２９％、または１５〜２７％になる接着層を含む非導電性フィルムを用いることができ、このようなフィルムの使用によって、熱圧着ボンディング（ＴＣＢ）時、ボイドなしにボンディング可能であり、ソルダの中間に樹脂の挟まりが発生せず、フィレット（ｆｉｌｌｅｔ）が最小化されて信頼性が向上した半導体パッケージを製造することができる。前記溶融粘度の変化率が３０％以上になる場合、熱圧着ボンディング時、導通不良および接続状態不良をもたらすことがある。
【００１６】
なお、前記密封用非導電性フィルムを用いて積層される半導体チップの層間密封時、真空ラミネーションを行う。前記真空ラミネーションは相対的に低い温度で行われるため、この温度区間で粘度が低いことにより、微細ピッチ（ｆｉｎｅ  ｐｉｔｃｈ）のバンプ（ｂｕｍｐ）の間を全て満たすことができ、前記非導電性フィルムの使用により真空ラミネーション中のバンプの割れなどを防止することができる。
【００１７】
前記非導電性フィルムがラミネーションされた基板に紫外線を照射する段階は、０．１〜１０００ｍＪ／ｃｍ２の光量で行うことができる。つまり、一定の波長帯を有するＵＶを用い、バンプの高さや非導電性フィルムの厚さ、基材フィルムと粘着層の厚さに応じて異なるが、前記段階は、０．１〜１０００ｍＪ／ｃｍ２あるいは１００〜１０００ｍＪ／ｃｍ２あるいは３００〜８００ｍＪ／ｃｍ２の光量を用いて紫外線を照射することが好ましい。露光後には光硬化が生じて光開始剤と光硬化性樹脂に含まれているエチレン性不飽和官能基の間に架橋結合が形成され、これによって溶融粘度が上昇し、部分的な架橋結合によって、熱圧着工程時、ボイドが発生せず、フィレットが最小化される。
【００１８】
また、本発明では、上述した非導電性フィルムを用いる構成のほかに、通常のパッケージング工程を行うことができる。
【００１９】
例えば、パッケージング工程は、半導体チップの不良を検査するウエハ検査工程；ウエハを切断してバラのチップに分離するダイシング工程；分離されたチップを回路フィルム（ｃｉｒｃｕｉｔ  ｆｉｌｍ）またはリードフレームの搭載板に付着させるダイボンディング工程；半導体チップ上に備えられたチップパッドと回路フィルムまたはリードフレームの回路パターンをワイヤのような電気的接続手段で連結させるワイヤボンディング工程などを含むことができる。この時、前記ダイシング工程の前には、基板（ウエハ）を所望の厚さまでｔｈｉｎｎｉｎｇするためのバックグラインディング（Ｂａｃｋ  ｇｒｉｎｄｉｎｇ）工程が行われる。
【００２０】
また、前記紫外線を照射する段階の後には、前記紫外線が照射された非導電性フィルムがラミネーションされた基板と、前記非導電性フィルムがラミネーションされた基板に対向して位置する複数の電極パッドが形成された半導体基板とを熱圧着ボンディングする段階をさらに含んでもよい。
【００２１】
具体的には、前記紫外線照射後、熱圧着ボンディング（Ｔｈｅｒｍｏ  Ｃｏｍｐｒｅｓｓｉｏｎ  Ｂｏｎｄｉｎｇ）工程を行うことによって、効果的に半導体パッケージを製造することができる。前記熱圧着ボンディング工程は、２００℃以上の高温で一定の圧力を加えて短時間内に行うことが好ましい。前記紫外線照射が完了すると、粘着層（ＰＳＡ−Ａｄｈｅｓｉｖｅ）間の粘着力が低くなってＰＳＡ層を剥がしやすくなる。
【００２２】
好ましくは、前記熱圧着ボンディングする段階は、２００〜３００℃の温度で１０Ｎ〜３００Ｎの圧力条件下にて２〜１０秒間行うことができ、５０℃〜１５０℃の温度で１秒〜１０秒間仮接合後、本接合を実施することもできる。さらに好ましくは、前記圧力条件は、１０Ｎ〜３００Ｎあるいは５０Ｎ〜２５０Ｎであってもよい。また、前記熱圧着ボンディング時、時間は２秒〜８秒であってもよい。
【００２３】
前記熱圧着ボンディング時、温度が２００℃以下であれば、バンプ上に位置したソルダの融点に及ばず、バンプとパッドとの間の電気的接続がなされない問題があり、その温度が３００℃以上であれば、非導電性フィルムが熱分解されてアウトガスを発生する問題がある。
【００２４】
また、前記熱圧着ボンディング時、圧力が１０Ｎ以下であれば、バンプとパッドとの間の接続が難しい問題があり、３００Ｎ以上であれば、バンプに損傷が生じるなどして、チップが割れる恐れがある。
【００２５】
さらに、前記熱圧着ボンディングする段階の前に、非導電性フィルムの粘着層を除去する段階をさらに含んでもよい。本発明は、紫外線照射後、部分的に光硬化された接着層を含むようになるので、紫外線照射後、相対的に粘着層の除去が容易になる。
【００２６】
このような熱圧着ボンディング工程において、部分硬化した接着フィルム（つまり、非導電性フィルム）が用いられることによって、ボイドやレジンの挟まりが発生せず、フィレットが最小化されて信頼性が向上した半導体パッケージを製造することができる。
【００２７】
一方、本発明は、半導体装置の密封材料として、フィルム状を用いるが、光硬化と熱硬化が全て可能な非導電性フィルムを用いることを特徴とする。本発明で使用する非導電性フィルムは、通常の非導電性フィルムに使用される接着剤組成物を用いて提供することができる。
【００２８】
具体的には、前記非導電性フィルムは、紫外線照射によって光硬化性樹脂を含む接着剤樹脂組成物が部分的に硬化してフィルム状を示す接着層を含む構造を用いることができる。
【００２９】
このような非導電性フィルムは、離型処理された基材フィルム、粘着層および接着層を含む接着フィルムであってもよい。また、前記非導電性フィルムにおいて、接着層の上部に保護フィルムがさらに含まれ、半導体パッケージ用密封用材料として用いる時、保護フィルムを除去して使用することができる。
【００３０】
また、前記紫外線照射によって、接着剤樹脂組成物中、光硬化性樹脂と光開始剤がＵＶ照射によって反応して非導電性フィルムに形成された接着層が部分的に硬化するので、このフィルムは硬くなり、粘度が高くなる。これにより、接着層および粘着層（ＰＳＡ）の間の粘着力も低くなって粘着層の除去が容易になる。
【００３１】
前記非導電性フィルムを形成するための接着剤樹脂組成物は、光硬化時、溶融粘度の上昇が紫外線を照射する前と比較して、その変化率が１〜３０％、または５〜２９％、または１５〜２７％以内になる組成物であれば、その構成が限定されない。
【００３２】
好ましい一実施形態によれば、本発明の前記非導電性フィルムにおいて、接着層は、（ａ）光硬化可能な不飽和官能基を有する光硬化性樹脂、（ｂ）熱硬化性樹脂および硬化剤、（ｃ）光開始剤、（ｄ）無機充填材および（ｅ）触媒を含む樹脂組成物を含むことができる。
【００３３】
また、前記非導電性フィルムは、紫外線を照射する前に８００〜１５０００Ｐａ・ｓ銀の溶融粘度を有し、紫外線を照射した後に１０００〜１８０００Ｐａ・ｓの溶融粘度を有することができる。
【００３４】
前記非導電性フィルムの紫外線照射前の溶融粘度が８００Ｐａ・ｓ以下であれば、フィルムがべたつきによって取扱が難しい問題があり、１５０００Ｐａ・ｓ以上の場合、粘度が高くて、真空ラミネーション時、バンプの間が全て満たされずにボイドが生じる問題が発生しうる。したがって、本発明において、前記非導電性フィルムを形成するための接着剤樹脂組成物を用いて、紫外線照射前後の変化率が１〜３０％である組成に制限なく使用できても、前記粘度の範囲内となるようにすることが重要である。
【００３５】
一方、本発明は、前記非導電性フィルムをＴＳＶを含む基板に形成する時、真空ラミネーション（ｖａｃｕｕｍ  ｌａｍｉｎａｔｉｏｎ）を行う。
【００３６】
好ましくは、本発明において、前記非導電性フィルムをラミネーションする段階は、４０〜１３０℃あるいは４０〜１００℃で真空条件下にて行うことが好ましい。この時、前記真空ラミネーション時、その温度が４０℃以下であれば、フィルムの流動性が低くてバンプの間が満たされない問題があり、１３０℃以上であれば、ラミネーション中に熱硬化が生じ、溶融粘度が上昇して充填性が発現しない問題がある。つまり、半導体密封用材料をバンプ基板に真空ラミネーション時、非導電性フィルムの使用により前記ラミネーション温度で微細ピッチのバンプを効果的に埋め込むことができる。
【００３７】
また、前記複数のシリコン貫通電極が具備された基板は、半導体基板の内部を貫通する複数のシリコン貫通ビアおよび接続のための複数のバンプが形成されている。
【００３８】
具体的には、本発明は、半導体パッケージの製造時、信号伝達速度、低電力、高性能を達成するために、シリコン貫通電極（ＴＳＶ、Ｔｒｏｕｇｈ  ｓｉｌｉｃｏｎ  ｖｉａ）を用いて電気的連結をなす方法を使用する。
【００３９】
前記方法は、半導体基板として使用するシリコンチップの内部に複数のビア（Ｖｉａ（ｈｏｌｅ））を突き抜けて金属を満たした後、マイクロバンプ間の連結をする方法である。したがって、前記半導体基板には複数のバンプが形成され、前記バンプは、金属ピラー（ｍｅｔａｌ  ｐｉｌｌａｒ）および前記ピラー上にソルダキャップ（ｓｏｌｄｅｒ  ｃａｐ）を含むことができる。
【００４０】
前記ソルダキャップは、ボンディング温度を低下させるために形成されることが好ましく、接合層であるＳｎ、ＳｎＡｇ、ＳｎＡｇＣｕ系を用いて形成することができる。
【００４１】
また、後述するが、前記シリコン貫通電極が具備された基板の対向面には、金属パッドが備えられた半導体基板が配列される。
【００４２】
本発明によれば、前記ＴＳＶを含む半導体基板は１以上積層可能であり、このような半導体基板はフリップチップ形態のパッケージング方法で行われる。また、上述した非導電性フィルムを真空ラミネーションして、積層されるチップの中間に充填材料として使用することができる。
【００４３】
前記ＴＳＶ連結のためには通常の方法により行われるが、その方法は限定されない。例えば、前記バンプ電極は、金属柱およびソルダキャップ（Ｓｏｌｄｅｒ  Ｃａｐ）を含み得るマイクロバンプのボンディング方法が使用できる。前記金属ピラーは大きく限定されず、一例として、よく知られた銅ピラー（Ｃｏｐｐｅｒ  ｐｉｌｌａｒ）であってもよい。
【００４４】
このような本発明の半導体パッケージ方法を、図面を参照して説明する。
図１は、本発明の半導体パッケージ方法の一実施形態を示す図である。
図２は、本発明の一実施形態による非導電性フィルムの構造を簡略に示す図である。
【００４５】
発明の一実施形態により、本発明は、半導体基板の内部を貫通する複数のシリコン貫通ビアおよび前記シリコン貫通ビアを満たす複数のバンプが形成されているバンプ基板（ｂｕｍｐｅｄ  ｗａｆｅｒ）１０を準備する。前記バンプ基板１０には、銅ピラー（Ｃｕ  ｐｉｌｌａｒ）１１および主成分がＳｎのソルダキャップ（ｓｏｌｄｅｒ  ｃａｐ）が形成されている。
【００４６】
以後、前記バンプ基板に非導電性フィルム２０を位置させ、真空ラミネーションを行い、熱圧着ボンディングを行う。
【００４７】
この時、前記非導電性フィルム２０は、図２に示されるように、キャリアフィルム１、粘着剤層２、接着剤層３、保護フィルム４を含む。このような非導電性フィルムをバンプ基板に真空ラミネーションする時、保護フィルムを除去して適用可能である。
【００４８】
また、前記真空ラミネーションを行った後、紫外線照射前に通常のバックグラインディングおよびチップを一定の大きさに切断して個別化するダイシング工程を行うことができる。
【００４９】
さらに、前記熱圧着ボンディング時、前記紫外線が照射された非導電性フィルムがラミネーションされた基板１０と、前記非導電性フィルム２０がラミネーションされた基板に対向して位置する複数の電極パッド３１が形成された半導体基板３０とを位置させた後、この両基板を熱圧着ボンディングする段階を行うことができる。
【００５０】
一方、前記実施形態の半導体接着用樹脂組成物に含まれる前記光硬化性樹脂、光開始剤、熱硬化性樹脂および硬化剤、触媒などは、半導体回路接続用非導電性フィルム用接着剤組成物分野で知られた通常の成分が適用可能であり、その種類は限定されない。
【００５１】
一例を挙げると、前記光硬化性樹脂は、光硬化可能なエチレン性不飽和官能基を有することが好ましい。このような光硬化性樹脂としてアクリレート系化合物が好ましく使用可能であり、より具体的な例として、２−ヒドロキシエチルアクリレート、２−ヒドロキシプロピルアクリレート、ペンタエリスリトールトリアクリレート、またはジペンタエリスリトールペンタアクリレートなどの水酸基含有のアクリレート系化合物；ポリエチレングリコールジアクリレート、またはポリプロピレングリコールジアクリレートなどの水溶性アクリレート系化合物；トリメチロールプロパントリアクリレート、ペンタエリスリトールテトラアクリレート、またはジペンタエリスリトールヘキサアクリレートなどの多価アルコールの多官能ポリエステルアクリレート系化合物；トリメチロールプロパン、または水素添加ビスフェノールＡなどの多官能アルコールまたはビスフェノールＡ、ビフェノールなどの多価フェノールのエチレンオキシド付加物および／またはプロピレンオキシド付加物のアクリレート系化合物；前記水酸基含有アクリレートのイソシアネート変性物である多官能または単官能ポリウレタンアクリレート系化合物；ビスフェノールＡジグリシジルエーテル、水素添加ビスフェノールＡジグリシジルエーテルまたはフェノールノボラックエポキシ樹脂の（メタ）アクリル酸付加物であるエポキシアクリレート系化合物；カプロラクトン変性ジトリメチロールプロパンテトラアクリレート、ε−カプロラクトン変性ジペンタエリスリトールのアクリレート、またはカプロラクトン変性ヒドロキシピバル酸ネオペンチルグリコールエステルジアクリレートなどのカプロラクトン変性のアクリレート系化合物、および上述したアクリレート系化合物に対応するメタクリレート系化合物などの感光性（メタ）アクリレート化合物からなる群より選択された１種以上の化合物を使用することができる。
【００５２】
また、信頼性向上の面で、光硬化可能な不飽和官能基および反応性官能基（グリシジル基、酸無水物基、ヒドロキシ基、カルボキシ基など）を同時に有する光硬化樹脂がさらに好ましい。このような光硬化性樹脂の例として、グリシジル（メタ）アクリレート、４−ヒドロキシブチル（メタ）アクリレートグリシジルエーテルのほかに、エポキシ基と反応する官能基およびエチレン性不飽和基を有する化合物と、多官能性エポキシ樹脂とを反応させて得られる化合物、フェノールノボラック系樹脂にエピクロロヒドリンと２−（メタ）アクリロイルオキシエチルイソシアネートとを反応させた化合物、そしてスチレン、α−メチルスチレン、低級アルキル（メタ）アクリレート、イソブチレンなどの不飽和二重結合を有する化合物の共重合体の一部にビニル基、アリル基、（メタ）アクリロイル基などのエチレン性不飽和基とエポキシ基などの反応性基を有する化合物、例えば、グリシジル（メタ）アクリレートとを反応させ、エチレン性不飽和基をペンダントとして付加させることによって得られる重合性化合物などが挙げられる。
【００５３】
前記の光開始剤は、樹脂組成物の露光時、光硬化性樹脂の間にラジカル光硬化を開始する役割を果たす。
【００５４】
光開始剤としては公知のものを用いることができ、ベンゾイン、ベンゾインメチルエーテル、ベンゾインエチルエーテルなどのベンゾインとそのアルキルエーテル類；アセトフェノン、２，２−ジメトキシ−２−フェニルアセトフェノン、１，１−ジクロロアセトフェノン、４−（１−ｔ−ブチルジオキシ−１−メチルエチル）アセトフェノンなどのアセトフェノン類；２−メチルアントラキノン、２−アミルアントラキノン、２−ｔ−ブチルアントラキノン、１−クロロアントラキノンなどのアントラキノン類；２，４−ジメチルチオキサントン、２，４−ジイソプロピルチオキサントン、２−クロロチオキサントンなどのチオキサントン類；アセトフェノンジメチルケタール、ベンジルジメチルケタールなどのケタール類；ベンゾフェノン、４−（１−ｔ−ブチルジオキシ−１−メチルエチル）ベンゾフェノン、３，３’，４，４’−テトラキス（ｔ−ブチルジオキシカルボニル）ベンゾフェノンなどのベンゾフェノン類のような物質を使用することができる。
【００５５】
また、２−メチル−１−［４−（メチルチオ）フェニル］−２−モルホリノプロパノン−１，２−ベンジル−２−ジメチルアミノ−１−（４−モルホリノフェニル）−ブタン−１−オン、２−（ジメチルアミノ）−２−［（４−メチルフェニル）メチル］−１−［４−（４−モルホリニル）フェニル］−１−ブタノン、Ｎ，Ｎ−ジメチルアミノアセトフェノン（市販品としてはチバスペシャリティケミカルズ社（現、チバジャパン社）製品のイルガキュア（登録商標）９０７、イルガキュア３６９、イルガキュア３７９など）などのα−アミノアセトフェノン類、２，４，６−トリメチルベンゾイルジフェニルホスフィンオキシド、ビス（２，４，６−トリメチルベンゾイル）−フェニルホスフィンオキシド、ビス（２，６−ジメトキシベンゾイル）−２，４，４−トリメチル−ペンチルホスフィンオキシド（市販品としては、ＢＡＳＦ社製品のルシリン（登録商標）ＴＰＯ、チバスペシャリティケミカルズ社製品のイルガキュア８１９など）などのアシルホスフィンオキシド類が好ましい光開始剤として言及される。
【００５６】
さらに、好ましい光開始剤としては、オキシムエステル類が挙げられる。オキシムエステル類の具体例としては、２−（アセチルオキシイミノメチル）チオキサンテン−９−オン、（１，２−オクタンジオン、１−［４−（フェニルチオ）フェニル］−、２−（Ｏ−ベンゾイルオキシム））、（エタノン、１−［９−エチル−６−（２−メチルベンゾイル）−９Ｈ−カルバゾール−３−イル］−、１−（Ｏ−アセチルオキシム））などが挙げられる。市販品としては、チバスペシャリティケミカルズ社製品のＧＧＩ−３２５、イルガキュアＯＸＥ０１、イルガキュアＯＸＥ０２、ＡＤＥＫＡ社製品のＮ−１９１９、チバスペシャリティケミカルズ社のＤａｒｏｃｕｒ  ＴＰＯなどが挙げられる。
【００５７】
前記熱硬化性樹脂の例が大きく限定されるものではないが、エポキシ樹脂が好ましく適用可能である。
【００５８】
具体的には、前記エポキシ樹脂は、ビスフェノール系エポキシ樹脂、ビフェニル系エポキシ樹脂、ナフタレン系エポキシ樹脂、フローレン系エポキシ樹脂、フェノールノボラック系エポキシ樹脂、クレゾールノボラック系エポキシ樹脂、ビスフェノールノボラック系エポキシ樹脂、ビフェニルノボラック系エポキシ樹脂、トリスヒドロキシルフェニルメタン系エポキシ樹脂、テトラフェニルメタン系エポキシ樹脂、ジシクロペンタジエン型エポキシ樹脂、およびジシクロペンタジエン変性フェノール型エポキシ樹脂および脂環式エポキシ樹脂からなる群より選択された１種以上であってもよい。
【００５９】
ここで、前記ビスフェノール系エポキシ樹脂としては、ビスフェノールＡ型エポキシ樹脂、ビスフェノールＦ型エポキシ樹脂、ビスフェノールＳ型エポキシ樹脂、水素添加ビスフェノールＡ型エポキシ樹脂、ビスフェノールＡＦ型エポキシ樹脂などが挙げられる。
【００６０】
また、本接着剤組成物は、熱可塑性樹脂を追加的にさらに含んでもよい。このような熱可塑性樹脂もその種類が大きく限定されるものではなく、例えば、ポリイミド、ポリエーテルイミド、ポリエステルイミド、ポリアミド、ポリエーテルスルホン、ポリエーテルケトン、ポリオレフィン、ポリ塩化ビニル、フェノキシ、ブタジエンゴム、スチレン−ブタジエンゴム、ポリイソプレン、反応性ブタジエンアクリロニトリル共重合ゴムおよび（メタ）アクリレート系樹脂からなる群より選択された１つ以上の高分子樹脂を含むことができる。
【００６１】
好ましくは、前記熱可塑性樹脂として、−１０℃〜３０℃のガラス転移温度および５０，０００〜１，０００，０００ｇ／ｍｏｌの重量平均分子量を有する（メタ）アクリレート系共重合樹脂が適用可能である。
【００６２】
一方、前記光硬化性樹脂は、熱硬化樹脂および硬化剤の総和１００重量部を基準として３〜４５重量部含まれる。前記光硬化性樹脂の含有量が３重量部以下であれば、紫外線照射後の光硬化度が十分でなくてボイドが発生する問題があり、４５重量部以上であれば、紫外線照射後の溶融粘度が過度に上昇して、熱圧着ボンディング時、バンプ間接続がうまくできない問題がある。
【００６３】
前記熱硬化性樹脂は、全体樹脂組成物中の固形分含有量１００重量部を基準として１５〜８０重量部使用できる。
【００６４】
前記熱可塑性樹脂は、接着フィルムの製造時、組成物の流れ性制御などを考慮して、前記熱硬化性樹脂１００重量部を基準として１０〜５００重量部含まれる。
【００６５】
前記硬化剤としては、前記熱硬化性樹脂の硬化剤の役割を果たすと知られた化合物を使用することができる。より具体的には、前記硬化剤は、フェノール系硬化剤、アミン系硬化剤、および酸無水物系硬化剤からなる群より選択された１種以上の化合物を含むことができる。
前記硬化剤としては、ノボラック系フェノール樹脂が好ましく適用可能である。
【００６６】
前記ノボラック系フェノール樹脂は、反応性官能基の間に環が位置する化学構造を有する。このような構造的特性によって、前記ノボラック系フェノール樹脂は、前記接着剤組成物の吸湿性をより低下させることができ、高温のＩＲリフロー工程で安定性をより高めることができて、接着フィルムの剥離現象やリフロー亀裂などを防止する役割を果たすことができる。
【００６７】
前記ノボラック系フェノール樹脂の具体例としては、ノボラックフェノール樹脂、キシロックノボラックフェノール樹脂、クレゾールノボラックフェノール樹脂、ビフェニルノボラックフェノール樹脂、ビスフェノールＡノボラックフェノール樹脂、およびビスフェノールＦノボラックフェノール樹脂からなる群より選択された１種以上が挙げられる。
【００６８】
前記ノボラック系フェノール樹脂は、６０℃以上、または６０℃〜１５０℃、または６５℃〜１４０℃の軟化点を有するものが好ましく適用可能である。６０℃以上の軟化点を有するノボラック系フェノール樹脂は、接着剤組成物の硬化後、十分な耐熱性、強度および接着性を有するようにする。しかし、前記ノボラック系フェノール樹脂の軟化点が高すぎると、前記接着剤組成物の流動性が低くなって、実際の半導体製造工程で接着剤の内部に空き空間（ｖｏｉｄ）が生成され、最終製品の信頼性や品質を大きく低下させることがある。
【００６９】
前記硬化剤の含有量は、最終的に製造される接着フィルムの物性などを考慮して適切に選択可能である。例えば、前記硬化剤は、前記熱硬化性樹脂１００重量部を基準として１０〜７００重量部または３０〜３００重量部使用できる。
【００７０】
前記半導体接着用樹脂組成物は、硬化触媒をさらに含んでもよい。
前記硬化触媒は、前記硬化剤の作用や前記半導体接着用樹脂組成物の硬化を促進させる役割を果たし、半導体接着フィルムなどの製造に使用されると知られた硬化触媒を大きな制限なく使用可能である。
【００７１】
例えば、前記硬化触媒としては、リン系化合物、ホウ素系化合物、リン−ホウ素系化合物、およびイミダゾール系化合物からなる群より選択された１種以上を使用することができる。前記硬化触媒の使用量は、最終的に製造される接着フィルムの物性などを考慮して適切に選択可能である。
【００７２】
一方、前記実施形態の半導体接着用樹脂組成物は、無機充填材をさらに含んでもよい。
前記無機充填材としては、アルミナ、シリカ、硫酸バリウム、水酸化マグネシウム、炭酸マグネシウム、ケイ酸マグネシウム、酸化マグネシウム、ケイ酸カルシウム、炭酸カルシウム、酸化カルシウム、水酸化アルミニウム、窒化アルミニウム、およびホウ酸アルミニウムからなる群より選択された１種以上の無機粒子が適用可能である。
【００７３】
イオン性不純物を吸着して信頼性を向上させることができるイオン吸着剤を無機充填材として使用してもよい。前記イオン吸着剤としては、水酸化マグネシウム、炭酸マグネシウム、ケイ酸マグネシウム、酸化マグネシウムのようなマグネシウム系、ケイ酸カルシウム、炭酸カルシウム、酸化カルシウム、アルミナ、水酸化アルミニウム、窒化アルミニウム、ホウ酸アルミニウムウィスカー、ジルコニウム系無機物、およびアンチモンビスマス系無機物からなる群より選択された１種以上の無機粒子が適用可能である。
【００７４】
前記無機充填材は、０．０１〜１０μｍ、あるいは０．０２〜５．０μｍ、あるいは０．０３〜２．０μｍの平均粒径（最長外径基準）を有するものが好ましく適用可能である。前記無機充填材の粒径が小さすぎる場合、前記接着剤組成物内で簡単に凝集できる。これに対し、前記無機充填材の粒径が大きすぎる場合、前記無機充填材による半導体回路の損傷および接着フィルムの接着性の低下が誘発されることがある。
【００７５】
前記無機充填材の含有量は、前記光硬化性樹脂、熱硬化性樹脂、硬化剤、および熱可塑性樹脂の総和１００重量部を基準として１０〜３００重量部または１５〜２５０重量部使用できる。
【００７６】
前記実施形態の半導体接着用樹脂組成物は、ソルダの酸化膜除去のためのフラックス、レベリング剤、消泡剤などの添加剤を追加的に添加することができる。
【００７７】
また、前記半導体回路接続用接着剤組成物は、前記光硬化性樹脂、熱硬化性樹脂、硬化剤および熱可塑性樹脂、そして無機充填材の総和１００重量部を基準として１０〜２００重量部の有機溶媒を含むことができる。前記有機溶媒の含有量は、前記接着剤組成物および最終的に製造される接着フィルムの物性や製造工程を考慮して決定可能である。
【００７８】
前記有機溶媒は、エステル類、エーテル類、ケトン類、芳香族炭化水素類、およびスルホキシド類からなる群より選択された１種以上の化合物であってもよい。
【００７９】
前記エステル類溶媒は、酢酸エチル、酢酸−ｎ−ブチル、酢酸イソブチル、ギ酸アミル、酢酸イソアミル、酢酸イソブチル、プロピオン酸ブチル、酪酸イソプロピル、酪酸エチル、酪酸ブチル、乳酸メチル、乳酸エチル、ガンマ−ブチロラクトン、エプシロン−カプロラクトン、デルタ−バレロラクトン、オキシ酢酸アルキル（例：オキシ酢酸メチル、オキシ酢酸エチル、オキシ酢酸ブチル（例えば、メトキシ酢酸メチル、メトキシ酢酸エチル、メトキシ酢酸ブチル、エトキシ酢酸メチル、エトキシ酢酸エチルなど））、３−オキシプロピオン酸アルキルエステル類（例：３−オキシプロピオン酸メチル、３−オキシプロピオン酸エチルなど（例えば、３−メトキシプロピオン酸メチル、３−メトキシプロピオン酸エチル、３−エトキシプロピオン酸メチル、３−エトキシプロピオン酸エチルなど））、２−オキシプロピオン酸アルキルエステル類（例：２−オキシプロピオン酸メチル、２−オキシプロピオン酸エチル、２−オキシプロピオン酸プロピルなど（例えば、２−メトキシプロピオン酸メチル、２−メトキシプロピオン酸エチル、２−メトキシプロピオン酸プロピル、２−エトキシプロピオン酸メチル、２−エトキシプロピオン酸エチル））、２−オキシ−２−メチルプロピオン酸メチルおよび２−オキシ−２−メチルプロピオン酸エチル（例えば、２−メトキシ−２−メチルプロピオン酸メチル、２−エトキシ−２−メチルプロピオン酸エチルなど）、ピルビン酸メチル、ピルビン酸エチル、ピルビン酸プロピル、アセト酢酸メチル、アセト酢酸エチル、２−オキソブタン酸メチル、２−オキソブタン酸エチルなどであってもよい。
【００８０】
前記エーテル類溶媒は、ジエチレングリコールジメチルエーテル、テトラヒドロフラン、エチレングリコールモノメチルエーテル、エチレングリコールモノエチルエーテル、メチルセロソルブアセテート、エチルセロソルブアセテート、ジエチレングリコールモノメチルエーテル、ジエチレングリコールモノエチルエーテル、ジエチレングリコールモノブチルエーテル、プロピレングリコールモノメチルエーテル、プロピレングリコールモノメチルエーテルアセテート、プロピレングリコールモノエチルエーテルアセテート、プロピレングリコールモノプロピルエーテルアセテートなどであってもよい。
【００８１】
前記ケトン類溶媒は、メチルエチルケトン、シクロヘキサノン、シクロペンタノン、２−ヘプタノン、３−ヘプタノン、Ｎ−メチル−２−ピロリドンなどであってもよい。
【００８２】
前記芳香族炭化水素類溶媒は、トルエン、キシレン、アニソール、リモネンなどであってもよい。
前記スルホキシド類溶媒は、ジメチルスルホキシドなどであってもよい。
【００８３】
この他にも、前記半導体回路接続用接着剤組成物は、カップリング剤を含むことができる。前記カップリング剤の種類は特に限定されないが、好ましくは、２−（３，４エポキシシクロヘキシル）−エチルトリメトキシシラン、３−グリシドキシプロピルトリメトキシシラン、３−グリシドキシプロピルメチル−ジエトキシシラン、３−グリシドキシプロピルトリエトキシシラン、Ｎ−２（アミノエチル）３−アミノプロピルメチルジメトキシシラン、Ｎ−２（アミノエチル）３−アミノプロピル−トリメトキシシラン、Ｎ−２（アミノエチル）３−アミノプロピルトリエトキシシラン、３−アミノプロピル−トリメトキシシラン、３−アミノプロピルトリエトキシシラン、３−トリエトキシリ−Ｎ−（１，３ジメチル−ブチリデン）プロピルアミン、Ｎ−フェニル−３−アミノプロピルトリメトキシシラン、メルカプトが含有された３−メルカプトプロピルメチルジメトキシシラン、３−メルカプトプロピルトリメトキシシランなどが好ましく適用可能である。
【００８４】
また、発明の他の実施形態によれば、上述した接着剤組成物を含む非導電性フィルムにおいて、離型処理された基材フィルムは、前記フィルムを支持するための支持基材として、耐熱性や耐薬品性に優れた樹脂フィルム；前記樹脂フィルムを構成する樹脂を架橋処理した架橋フィルム；または前記樹脂フィルムの表面にシリコン樹脂などを塗布して剥離処理したフィルムなどが用いられる。
【００８５】
前記樹脂フィルムを構成する樹脂としては、ポリエステル、ポリエチレン、ポリプロピレン、ポリブテン、ポリブタジエンのようなポリオレフィン、塩化ビニル、エチレン−メタクリル酸共重合体、エチレン酢酸ビニル共重合体、ポリエステル、ポリイミド、ポリエチレンテレフタレート、ポリアミド、ポリウレタンなどを適用することができ、紫外線照射の面で透明なポリエチレンテレフタレートが好ましい。
【００８６】
前記支持基材の厚さは特に限定されないが、３〜４００μｍ、あるいは５〜２００μｍ、あるいは１０〜１５０μｍであってもよい。
【００８７】
前記接着層は、上述した接着剤組成物からなる。前記接着剤組成物に関する内容は上述した通りである。
【００８８】
また、必要に応じて、前記接着層上には粘着層が介在してもよい。前記粘着層としてはこの分野で公知のものが特別な制限なく適用可能である。
【００８９】
前記保護フィルムの種類は特に限定されず、この分野で公知のプラスチックフィルムが適用可能である。例えば、前記保護フィルムは、ポリエステル、ポリエチレン、ポリプロピレン、ポリエチレンテレフタレートなどを適用することができる。
【００９０】
前記半導体密封用非導電性フィルムの製造方法は限定されず、この分野でよく知られた方法で得ることができる。一例として、前記フィルムは、前記支持基材上に粘着層を形成した後、前記粘着層上に接着層および保護フィルムを順次に積層する方法で製造できる。
【００９１】
前記支持基材上に接着層を形成する方法は、前記接着剤組成物をそのままあるいは適切な有機溶媒に希釈して、コンマコーター、グラビアコーター、ダイコーター、リバースコーターなどの公知の手段で前記支持基材または離型フィルム上に塗布した後、６０℃〜１５０℃の温度で１０秒〜３０分間乾燥させる方法が用いられる。
【００９２】
前記接着層の厚さは、１〜５００μｍ、あるいは５〜１００μｍ、あるいは５〜５０μｍの範囲で適切に調節可能である。
【００９３】
発明の具体的な実施形態を下記の実施例でより詳しく説明する。ただし、下記の実施例は発明の具体的な実施形態を例示するものに過ぎず、本発明の内容が下記の実施例によって限定されるものではない。
【００９４】
［製造例：光硬化性樹脂の製造］
製造例１
ＶＨ−４１７０（ＤＩＣ製品、ビスフェノールＡノボラック樹脂）にエピクロロヒドリンと２−アクリロイルオキシエチルイソシアネートを１：９のモル比で触媒と共に反応させて、光硬化と熱硬化が同時に可能な化合物を製造した。
【００９５】
実施例１：半導体接着用樹脂組成物および非導電性フィルム（接着フィルム）の製造
図１の工程により半導体パッケージを製造した。半導体パッケージ工程に用いた非導電性フィルムは、図２の構造を有する部分的に硬化した接着層を有するフィルムを密封材料として使用した。
【００９６】
（１）半導体回路接続用接着剤組成物の製造
エポキシ樹脂の硬化剤であるフェノール樹脂ＫＨ−６０２１（ＤＩＣ社製品、ビスフェノールＡノボラック樹脂）４０ｇ；エポキシ樹脂としてＲＥ−３１０Ｓ（日本化薬製品、ビスフェノールＡエポキシ樹脂）３０ｇ；ＹＤＣＮ−５００−５Ｐ（Ｋｕｋｄｏ化学製品、クレゾールノボラックエポキシ樹脂）３５ｇ、光硬化剤としてＡ−ＤＣＰ（新中村社製品、トリシクロメタンジメタノールジアクリレート）１０ｇ、ジペンタエリスリトールヘキサアクリレート０．５ｇ、光開始剤としてＤａｒｏｃｕｒ  ＴＰＯ１ｇ、熱可塑性アクリレート樹脂ＫＧ−３０１５（Ｍｗ：９０万、ガラス転移温度：１０℃）１５ｇ；触媒（２−ｐｈｅｎｙｌ−４，５−ｄｉｈｙｄｒｏｘｙｍｅｔｈｙｌ  ｉｍｉｄａｚｏｌｅ）１．５ｇ；フラックス１ｇおよび無機充填材（ＳＣ−２０５０、アドマテックスの球状シリカ）７５ｇをメチルエチルケトンに混合して、半導体回路接続用接着剤組成物（固形分４５重量％の濃度）を得た。
【００９７】
（２）接着フィルムの製造
コンマコーターを用いて、通常のアクリル系樹脂を含む粘着性樹脂組成物を用いて、ポリエチレンテレフタレートフィルム（厚さ３８μｍ）上に塗布した後、乾燥して、約２０μｍの厚さの粘着層を形成した。以後、前記コンマコーターを用いて上述した接着剤樹脂組成物をコーティングし、１１０℃で３分間乾燥して、約２０μｍの厚さの接着層が形成された接着フィルムを得た。以後、前記接着層の上部に通常の保護フィルム（離型処理されたポリエチレンテレフタレート）を約２０μｍの厚さに形成した。
【００９８】
（３）半導体装置の製造
複数のシリコン貫通電極が具備され、高さ１５μｍおよびピッチ５０μｍの銅ピラー上に無鉛ソルダ（ＳｎＡｇＣｕ）が３μｍの高さに形成されている半導体素子であるバンプチップ（４．５ｍｍ×４．５ｍｍ）を含むウエハを準備した。
前記非導電性接着フィルムから保護フィルムを除去し、前記ウエハのバンプ面に前記接着フィルムの接着層を位置させて８０℃で真空ラミネーションを進行させた後、それぞれのチップに個別化した。
非導電性フィルムが真空ラミネーションされた個別化されたバンプチップに対して、５００ｍＪ／ｃｍ２の光量で紫外線を照射した。
前記紫外線の照射が完了すると、粘着層の粘着力が低くなるので、非導電性フィルムの接着層の上部にある粘着層が離型基材フィルムと共に簡単に除去された。
以後、前記接着層がラミネーションされている個別化されたバンプチップに対して、熱圧着ボンダを用いて、５０μｍのピッチの接続パッドを有している６ｍｍ×８ｍｍの基材チップに１００Ｎにて７０℃で３秒間仮接合後、２６０℃に加熱して４秒間熱圧着ボンディングを進行させた。
【００９９】
実施例２
下記の接着剤組成物を用いたことを除き、実施例１と同様の方法で、接着フィルムおよび半導体装置を製造した。
エポキシ樹脂の硬化剤であるフェノール樹脂ＧＰＨ−６５（日本化薬剤品、ビフェニルノボラック樹脂）５０ｇ；エポキシ樹脂としてＲＥ−３１０Ｓ（日本化薬製品、ビスフェノールＡエポキシ樹脂、エポキシ当量１８０ｇ／ｅｑ）２０ｇ；ＹＤＣＮ−５００−５Ｐ（Ｋｕｋｄｏ化学製品、クレゾールノボラックエポキシ樹脂）３０ｇ、光硬化性樹脂として製造例１の化合物１５ｇ、光開始剤としてＯＸＥ０１  ０．３ｇ；触媒（２−ｐｈｅｎｙｌ−４，５−ｄｉｈｙｄｒｏｘｙｍｅｔｈｙｌ  ｉｍｉｄａｚｏｌｅ）１．５ｇ；フラックス１ｇ；および無機充填材（ＳＣ−２０５０、アドマテックスの球状シリカ）９０ｇをメチルエチルケトンに混合して、半導体回路接続用接着剤組成物（固形分４５重量％の濃度）を得た。
【０１００】
実施例３
下記の接着剤組成物を用いたことを除き、実施例１と同様の方法で、接着フィルムおよび半導体装置を製造した。
実施例２に、熱可塑性樹脂としてＫＧ−３０１５  １５ｇを追加的に入れたことを除けば、実施例１と同様にして半導体回路接続用接着剤組成物を得た。
【０１０１】
比較例１
下記の接着剤組成物を用いたことを除き、実施例１と同様の方法で、接着フィルムおよび半導体装置を製造した。
実施例１において、光硬化剤のＡ−ＤＣＰ（新中村社製品、トリシクロメタンジメタノールジアクリレート）とジペンタエリスリトールヘキサアクリレート、光開始剤のＤａｒｏｃｕｒ  ＴＰＯを入れなかったことを除けば、実施例１と同様の方法で接着剤組成物を得た。
【０１０２】
比較例２
実施例３において、非導電性接着フィルムをラミネーションした後に、紫外線照射を実施せずに熱圧着ボンディングを実施したことを除けば、実施例３と同様の方法で半導体装置を得た。
【０１０３】
比較例３
下記の接着剤組成物を用いたことを除き、実施例１と同様の方法で、接着フィルムおよび半導体装置を製造した。
実施例２において、ＧＰＨ−６５をＫＡ−１１６３（ＤＩＣ製品、クレゾールノボラック樹脂）４０ｇに変更し、ＲＥ−３１０ＳをＥＯＣＮ−１０４Ｓに変更し、無機充填材ＳＣ−２０５０（アドマテックスの球状シリカ、平均粒径５００ｎｍ）をＹＣ１００Ｃ（アドマテックスの球状シリカ、平均粒径１００ｎｍ）３４０ｇに変更したことを除けば、実施例２と同様の方法で接着剤組成物を得た。
【０１０４】
比較例４
下記の接着剤組成物を用いたことを除き、実施例１と同様の方法で、接着フィルムおよび半導体装置を製造した。
実施例２において、光硬化性樹脂として製造例１の化合物７０ｇ、ジペンタエリスリトールヘキサアクリレート５ｇ、光開始剤としてＯＸＥ０１  ０．８ｇ、無機充填材（ＳＣ−２０５０、アドマテックスの球状シリカ）１００ｇを用いたことを除けば、実施例２と同様の方法で接着剤組成物を得た。
【０１０５】
比較例５
下記の接着剤組成物を用いたことを除き、実施例１と同様の方法で、接着フィルムおよび半導体装置を製造した。
エポキシ樹脂の硬化剤であるフェノール樹脂ＶＨ−４１７０（ＤＩＣ製品、ビスフェノールＡノボラック樹脂）５０ｇ；エポキシ樹脂としてＲＥ−３１０Ｓ（日本化薬製品、ビスフェノールＡエポキシ樹脂、エポキシ当量１８０ｇ／ｅｑ）７５ｇ、光硬化性樹脂としてＡ−ＢＰＥ−１０（新中村社製品、２．２Ｂｉｓ［４−（アクリロキシポリエトキシ）フェニル］プロパン（エチレンオキシド１０モルの付加品））１０ｇ、光開始剤としてＤａｒｏｃｕｒ  ＴＰＯ０．５ｇ；触媒（２−ｐｈｅｎｙｌ−４，５−ｄｉｈｙｄｒｏｘｙｍｅｔｈｙｌ  ｉｍｉｄａｚｏｌｅ）１ｇ；フラックス１ｇ；および無機充填材（ＳＣ−２０５０、アドマテックスの球状シリカ）４０ｇをメチルエチルケトンに混合して、半導体回路接続用接着剤組成物を得た。
【０１０６】
［試験例］
（１）溶融粘度および粘度変化率の測定
実施例および比較例でそれぞれ得られた接着フィルムを厚さ３２０μｍになるまで重ねて積層した後、８０℃のロールラミネータを用いてラミネートした。以後、各試験片を直径８ｍｍの円形に成形した後、ＴＡ社のａｄｖａｎｃｅｄ  ｒｈｅｏｍｅｔｒｉｃ  ｅｘｐａｎｓｉｏｎ  ｓｙｓｔｅｍ（ＡＲＥＳ）を用いて、５ｒａｄ／ｓの剪断速度で１０℃／分の昇温速度を適用して測定値の最も低い数値の粘度値を溶融粘度として判断した。紫外線照射後の溶融粘度は、非導電性接着フィルムのキャリアフィルムの面側から５００ｍＪ／ｃｍ２の光量の紫外線を照射した後、ラミネートして、同様の方法で溶融粘度を測定した。
【０１０７】
（２）ボイド評価
実施例および比較例でそれぞれ得られた半導体装置に対して、Ｓｃａｎｎｉｎｇ  Ａｃｏｕｓｉｔｉｃ  Ｔｏｍｏｇｒａｐｈｙ（ＳＡＴ）によりバンプチップと基材チップとの間にボイドの占める面積が１％以下になるものを合格（○）、そして１％超えるものを不合格（×）と評価した。
【０１０８】
（３）導通評価
実施例および比較例でそれぞれ得られた半導体装置に対して、デイジーチェーン接続を確認できたものを合格（○）、そしてデイジーチェーン接続を確認できなかったものを不合格（×）と評価した。
【０１０９】
（４）接続状態評価
実施例および比較例でそれぞれ得られた半導体装置に対して、接続部を断面研磨して露出させ、光学顕微鏡で観察した。接続部に接着組成物のトラッピングが見られず、ハンダが配線に十分に濡れているものを合格（○）、そしてそれ以外のものを不合格（×）と評価した。
【０１１０】
（５）フィレット評価（単位：μｍ）
実施例および比較例でそれぞれ得られた半導体装置に対して、光学顕微鏡を用いてバンプチップ上で観察して、非導電性接着フィルムが流れ出たフィレットの最大長さを測定した。
【０１１１】
【表１】
2021525458.tif 000003
【０１１２】
【表２】
2021525458.tif 000004
【０１１３】
前記表１および２の結果をみると、前記実施例１〜３は、紫外線照射前後の溶融粘度の変化率が３０％以下と低くて、熱圧着ボンディング時、ボイドがなく、導通および接続状態に優れていることを確認できる。また、前記実施例１〜３は、フィレットも低減できて、信頼性を向上させた。
【０１１４】
一方、比較例１〜２は、紫外線照射前後の溶融粘度の変化がなく、良好な導通評価結果を示したものの、ボイドが発生し、接続状態が不良であり、フィレットが過度でパッケージを汚染させる原因として作用した。
【０１１５】
また、比較例３は、無機充填材を過剰使用することによって、フィルムの溶融粘度が高くなり、溶融粘度の変化率も３０％以上になって、ＴＣＢ後にもバンプ連結がなされないので導通せず、接続状態不良が生じた。
【０１１６】
さらに、比較例４は、光硬化性樹脂の含有量範囲が過剰で、紫外線照射前後の溶融粘度の変化率が５５２％と増加し、導通不良および接続状態不良を示した。つまり、比較例４の場合、光硬化性樹脂の含有量が増加して、同量のＵＶ照射後、粘度の増加が大きいため、ＴＣＢ時、接続がうまくできなかった。
【０１１７】
また、比較例５は、紫外線照射前／後の溶融粘度が低くて、ＴＣＢ時、マクロボイドが発生し、接続部のソルダの間に接着物のトラッピングが発生したことを確認できた。
【０１１８】
したがって、本発明のように、半導体の密封材料としてペースト状ではない非導電性フィルムを用い、特に紫外線照射前後の溶融粘度の変化率が調節された非導電性フィルムを用いて真空ラミネーションを行ってこそ、フィレットが最小化されてバンプの割れを防止することができる。そこで、本発明の半導体パッケージの製造方法によれば、熱圧着ボンディング時、導通および接続状態に優れていて、信頼性を向上させることができる。
【図１】
2021525458.tif 000005
【図２】
2021525458.tif 000006
【手続補正書】
【提出日】令和2年12月1日(2020.12.1)
【手続補正１】
【補正対象書類名】特許請求の範囲
【補正対象項目名】全文
【補正方法】変更
【補正の内容】
【特許請求の範囲】
【請求項１】
複数のシリコン貫通電極が具備された基板に非導電性フィルムをラミネーションする段階；および
前記非導電性フィルムがラミネーションされた基板に紫外線を照射する段階；を含み、
前記非導電性フィルムは、前記紫外線照射前後で溶融粘度の変化率が１〜３０％である、
半導体パッケージの製造方法。
【請求項２】
前記非導電性フィルムは、前記紫外線照射前後で溶融粘度の変化率が１５〜２７％である、請求項１に記載の半導体パッケージの製造方法。
【請求項３】
前記非導電性フィルムがラミネーションされた基板に紫外線を照射する段階は、０．１〜１０００ｍＪ／ｃｍ２の光量で行う、請求項１または２に記載の半導体パッケージの製造方法。
【請求項４】
前記非導電性フィルムは、離型処理された基材フィルム、粘着層および接着層を含む、請求項１から３のいずれか一項に記載の半導体パッケージの製造方法。
【請求項５】
前記非導電性フィルムにおいて、接着層は、
（ａ）光硬化可能な不飽和官能基を有する光硬化性樹脂、（ｂ）熱硬化性樹脂および硬化剤、（ｃ）光開始剤、（ｄ）無機充填材および（ｅ）触媒を含む樹脂組成物を含む、請求項４に記載の半導体パッケージの製造方法。
【請求項６】
前記光硬化性樹脂は、熱硬化性樹脂および硬化剤の総和１００重量部を基準として３〜４５重量部含まれる、請求項５に記載の半導体パッケージの製造方法。
【請求項７】
前記非導電性フィルムは、紫外線を照射する前に８００〜１５０００Ｐａ・ｓの溶融粘度を有し、紫外線を照射した後に１０００〜１８０００Ｐａ・ｓの溶融粘度を有する、請求項１から６のいずれか一項に記載の半導体パッケージの製造方法。
【請求項８】
前記非導電性フィルムをラミネーションする段階は、４０〜１３０℃で真空条件下にて行う、請求項１から７のいずれか一項に記載の半導体パッケージの製造方法。
【請求項９】
前記複数のシリコン貫通電極が具備された基板は、
半導体基板の内部を貫通する複数のシリコン貫通ビアおよび前記シリコン貫通ビアを満たす複数のバンプが形成されている、請求項１から８のいずれか一項に記載の半導体パッケージの製造方法。
【請求項１０】
前記紫外線を照射する段階の後には、
前記紫外線が照射された非導電性フィルムがラミネーションされた基板と、
前記非導電性フィルムがラミネーションされた基板に対向して位置する複数の電極パッドが形成された半導体基板とを熱圧着ボンディングする段階をさらに含む、請求項１から９のいずれか一項に記載の半導体パッケージの製造方法。
【請求項１１】
前記熱圧着ボンディングする段階は、２００〜３００℃の温度で１０Ｎ〜３００Ｎの圧力条件下にて２〜１０秒間行う、請求項１０に記載の半導体パッケージの製造方法。
【請求項１２】
前記熱圧着ボンディングする段階の前に、非導電性フィルムの粘着層を除去する段階をさらに含む、請求項１０または１１に記載の半導体パッケージの製造方法。
【国際調査報告】
2021525458.tif 000007
2021525458.tif 000008
2021525458.tif 000009
2021525458.tif 000010